(57)【要約】【課題】複数の連結部をコンパクトに構成でき、かつ施工時の作業性が良好なドレンホース分岐アダプタを提供すること。【解決手段】ドレンホース分岐アダプタ１０は、複数に分岐した第１連結部１１Ｆ、１２Ｆと、第２連結部１３Ｆと、を備え、第１連結部１１Ｆ、１２Ｆは、複数に分岐した分岐箇所から延出した先端に設けられ、第１連結部１２Ｆと、分岐箇所との間に、変形可能な弾性部１２ｃを備える。施工時には弾性部１２ｃを変形させて、第１連結部１１Ｆと他の第１連結部１２Ｆとを離隔させることで、容易にテープ巻き等の施工ができる。【選択図】図４
2020193758.tif 000002
【特許請求の範囲】
【請求項１】
複数に分岐した第１連結部と、第２連結部と、を備え、
前記第１連結部は、複数に分岐した分岐箇所から延出した先端に設けられ、
少なくとも１つの前記第１連結部と、前記分岐箇所との間に、変形可能な弾性部を備える、ドレンホース分岐アダプタ。
【請求項２】
１つを除く全ての前記第１連結部と、前記分岐箇所との間に、前記弾性部を備える、請求項１に記載のドレンホース分岐アダプタ。
【請求項３】
１の前記第１連結部の延出方向と、他の前記第１連結部の延出方向とのなす角が、９０度未満である、請求項１又は２に記載のドレンホース分岐アダプタ。
【請求項４】
前記弾性部は、可撓性を有する合成樹脂からなり、蛇腹構造を有する、請求項１から３いずれかに記載のドレンホース分岐アダプタ。
【発明の詳細な説明】
【技術分野】
【０００１】
本発明は、ドレンホース分岐アダプタに関する。特に、空気調和設備の室内機から延出するドレンホースに好適に用いられるドレンホース分岐アダプタの構造に関する。
【背景技術】
【０００２】
室内を快適にするための空気調和設備の代表としては、いわゆる、エアコンが挙げられる。一般に、分離式のエアコンは、室内熱交換器とファン等を備えた室内機と、室外熱交換器とコンプレッサ等を備えた室外機で構成される。
【０００３】
室内機は、ドレンホース等のドレン配管を室外に延出している。ドレンホースは、室内機の内部で、空気の熱交換によって発生した凝縮水を外部の排水溝等へ排水している。室外に延出されたドレンホースは、風雨や紫外線の影響を避けるため、室内機と室外熱交換器とを接続する冷媒管等と共に、建物の外壁面に沿って配置された筒状の保護管に収容される（例えば、特許文献１参照）。
【０００４】
ここで、１つの建物で複数の室内機を用いる場合、複数の室外機から延出するドレンホースをアダプタ等によって接続して排水することが、省スペースの観点から好ましい（例えば、特許文献２参照）。
【先行技術文献】
【特許文献】
【０００５】
【特許文献１】特開平９−２１０４１０号公報
【特許文献２】特開２００７−１１３３５５号公報
【発明の概要】
【発明が解決しようとする課題】
【０００６】
しかし、ドレンホースとアダプタとの連結部には、施工時にドレンホースの保護や水漏れ防止等の目的でテープ巻きが施される場合がある。特許文献２に記載されたドレン連結具は、複数のドレンホースの出口端部がそれぞれ差し込まれるように、パイプの上流側が複数に分岐しているものであるが、複数の連結部同士が近接すれば施工時のテープ巻きが困難であり、連結部同士を離隔すると連結部をコンパクトに構成できない課題がある。
【０００７】
本発明は、このような課題に鑑みてなされたものであり、複数の連結部をコンパクトに構成でき、かつ施工時の作業性が良好なドレンホース分岐アダプタを提供することを目的とする。
【課題を解決するための手段】
【０００８】
本発明者は、ドレンホース分岐アダプタの分岐構造の先端に設けられたドレンホース連結部と、分岐箇所との間に変形可能な弾性部を設けることで、全体をコンパクトに構成しつつ、施工時の作業性が良好なドレンホース分岐アダプタを実現できると考え、以下のような新たなドレンホース分岐アダプタを発明するに至った。
【０００９】
（１）本発明によるドレンホース分岐アダプタは、複数に分岐した第１連結部と、第２連結部と、を備え、前記第１連結部は、複数に分岐した分岐箇所から延出した先端に設けられ、少なくとも１つの前記第１連結部と、前記分岐箇所との間に、変形可能な弾性部を備えている。
【００１０】
（２）１つを除く全ての前記第１連結部と、前記分岐箇所との間に、前記弾性部を備えていてもよい。
【００１１】
（３）１の前記第１連結部の延出方向と、他の前記第１連結部の延出方向とのなす角が、９０度未満であってもよい。
【００１２】
（４）前記弾性部は、可撓性を有する合成樹脂からなり、蛇腹構造を有していてもよい。
【発明の効果】
【００１３】
本発明によるドレンホース分岐アダプタは、複数に分岐した分岐構造の先端に設けられた少なくとも１つの第１連結部と、分岐箇所との間に変形可能な弾性部が設けられているため、施工時には１の第１連結部を他の第１連結部と離隔することで、ドレンホースと連結部の境界をテープ部材で巻回する等、施工が容易に行え、かつ施工後はコンパクトに収容できる。
【図面の簡単な説明】
【００１４】
【図１】本発明の一実施形態によるドレンホース分岐アダプタの概略を示す斜視図であり、ドレンホースが連結された状態図である。
【図２】前記実施形態によるドレンホース分岐アダプタの構成を示す縦断面図である。
【図３】前記実施形態によるドレンホース分岐アダプタの使用状態を説明する縦断面図である。
【図４】前記実施形態によるドレンホース分岐アダプタの使用状態を説明する縦断面図である。
【図５】前記実施形態によるドレンホース分岐アダプタの使用状態を説明する縦断面図である。
【図６】前記実施形態によるドレンホース分岐アダプタの使用状態を説明する縦断面図である。
【発明を実施するための形態】
【００１５】
以下、本発明を実施するための形態を説明する。
まず、本発明の一実施形態によるドレンホース分岐アダプタ（以下、単に「アダプタ」と記載する場合がある）の概略について、図１を参照しながら説明する。
【００１６】
［ドレンホース分岐アダプタの概略］
本発明の一実施形態によるアダプタ１０は、第１連結部としての上流側連結部１１Ｆ、１２Ｆ及び第２連結部としての下流側連結部１３Ｆに対し、ドレンホース２０がそれぞれ連結されて用いられる。
上流側連結部１１Ｆ、１２Ｆには、流入口１１、１２が設けられると共に、ドレンホース２０が挿入されて篏合する篏合部１１ａ、１１ｂ及び１２ａ、１２ｂが設けられている。
同様に、下流側連結部１３Ｆには、流入口１３が設けられると共に、ドレンホース２０に挿入して篏合する篏合部（図示せず）が設けられている。
【００１７】
上流側連結部１１Ｆ、１２Ｆ及び下流側連結部１３Ｆと、ドレンホース２０との境界である領域Ｔには、それぞれテープ部材ｔ１が巻回される。
また、上流側連結部１２Ｆと、分岐箇所１４との間には、変形可能な弾性部としての蛇腹構造１２ｃが設けられている。
【００１８】
上流側連結部１１Ｆ、１２Ｆに連結されたドレンホース２０は、それぞれ別の空調設備における室内機（図示せず）から延出されており、各室内機の内部で発生したドレン水は、ドレンホース２０を通じ、上流側連結部１１Ｆ、１２Ｆに設けられた流入口１１、１２からアダプタ１０内に流入する。
アダプタ１０内に流入したドレン水は、下流側連結部１３Ｆに設けられた流出口１３からアダプタ１０外に流出し、ドレンホース２０を通じて排水溝（図示せず）等の外部に排水される。
【００１９】
［ドレンホース分岐アダプタの詳細構成］
次に、本実施形態に係るアダプタ１０の縦断面図である図２を参照して、アダプタ１０の構成を詳細に説明する。
アダプタ１０は、複数に分岐した分岐箇所１４から延出した先端に設けられる、第１連結部としての上流側連結部１１Ｆ及び上流側連結部１２Ｆ、並びに第２連結部としての下流側連結部１３Ｆを備えている。
また、上流側連結部１２Ｆと、分岐箇所１４との間に、変形可能な弾性部としての蛇腹構造１２ｃを備えている。
【００２０】
本実施形態に係るアダプタ１０の上流側連結部１１Ｆ、１２Ｆには、ドレンホースが挿入されて篏合する篏合部１１ａ、１１ｂ及び１２ａ、１２ｂが設けられている。ドレンホースとしては、可撓性を有する合成樹脂製の、蛇腹構造を備えたドレンホースが用いられる。このようなドレンホースの蛇腹構造の外面の凹部が、上記篏合部の内面の凸部と篏合することで、流入口１１、１２から挿入されたドレンホースが固定される。
また、下流側連結部１３Ｆには、ドレンホースに挿入されて篏合する篏合部１３ａ、１３ｂが設けられている。上記ドレンホースの蛇腹構造の内面の凹部が、上記篏合部の外面の凸部と篏合することで、下流側連結部１３Ｆにドレンホースが固定される。
上記構成により、簡易にドレンホースを固定できると共に、ドレン水の水漏れを抑制できる。
【００２１】
また、篏合部１１ａ、１１ｂ及び１２ａ、１２ｂは、上流側連結部１１Ｆ、１２Ｆ内でそれぞれ異なる径ｄ１、ｄ２となるような凸部を形成する。同様に、篏合部１３ａ、１３ｂは、下流側連結部１３Ｆの外面でそれぞれ異なる径ｄ３、ｄ４となるような凸部を形成する。上記構成により、異なる径のドレンホースをアダプタ１０に固定できる。
【００２２】
また、上流側連結部１１Ｆ、１２Ｆ及び下流側連結部１３Ｆと、ドレンホースとの境界には、水漏れ防止、あるいはドレンホースの連結部がつぶれ等の外力により外れることを防止する目的で、テープ部材が巻回される。
【００２３】
本実施形態に係るアダプタ１０において、上流側連結部１１Ｆの延出方向は、下流側連結部１３Ｆの延出方向に対して相反する方向である。また、１の上流側連結部１１Ｆの延出方向と、他の上流側連結部１２Ｆの延出方向とは角度Ｒ１をなす。ここで、角度Ｒ１を９０度未満とすることで、複数の上流側連結部をコンパクトに構成できるため好ましい。なお、本実施形態において、角度Ｒ１は３０度程度である。
【００２４】
また、上流側連結部１２Ｆと、分岐箇所１４との間には、蛇腹構造１２ｃが設けられている。本実施形態において、蛇腹構造１２ｃは可撓性を有する合成樹脂からなるため、アダプタ１０全体を、可撓性を有する合成樹脂製とすることで、アダプタ１０を一体としてブロー成型等の樹脂成形により製造できるため好ましい。このようなアダプタ１０の材質としては、軟質部を作る観点から、例えば、ポリエチレン（ＰＥ）やポリ塩化ビニル（ＰＶＣ）等が用いられる。
【００２５】
なお、本実施形態に係るアダプタ１０は、ドレンホースが連結され、テープ部材が巻回される等の施工が行われた後は、保護管等に収容される、あるいは保護テープが巻回されることが耐候性の観点から好ましい。
【００２６】
次に、本実施形態に係るアダプタ１０の縦断面図である図３〜図６を参照して、アダプタ１０の使用状態について説明する。
【００２７】
まず、図３に示すように、上流側連結部１１Ｆに対し、ドレンホース２０を挿入すると、上流側連結部１１Ｆの内面に形成された篏合部１１ｂの凸部と、ドレンホース２０の蛇腹構造の外面の凹部とが篏合し、上流側連結部１１Ｆにドレンホース２０が固定される。
【００２８】
次に、図４に示すように、上流側連結部１２Ｆに対し、ドレンホース２０を挿入すると、上流側連結部１２Ｆの内面に形成された篏合部１２ｂの凸部と、ドレンホース２０の蛇腹構造の外面の凹部とが篏合し、上流側連結部１２Ｆにドレンホース２０が固定される。
【００２９】
さらに、図４に示すように、上流側連結部１２Ｆと分岐箇所１４との間に設けられた蛇腹構造１２ｃを、上流側連結部１１Ｆと、１２Ｆとが離隔するように変形させる。すなわち、上流側連結部１１Ｆの延出方向と、上流側連結部１２Ｆの延出方向とのなす角度を、変形前の角度Ｒ１よりも大きい角度Ｒ２となるように、蛇腹構造１２ｃを変形させる。
上記状態にて、上流側連結部１１Ｆ、１２Ｆとドレンホース２０との境界である領域Ｔに、それぞれテープ部材（図示せず）を巻回する。これにより、上流側連結部１１Ｆ、１２Ｆやドレンホース２０が干渉することなく、容易にテープ部材を巻回できる。
【００３０】
次に、図５に示すように、ドレンホース２０に対し、下流側連結部１３Ｆを挿入すると、下流側連結部１３Ｆの外面に形成された篏合部１３ａの凸部と、ドレンホース２０の蛇腹構造の内面の凹部とが篏合し、ドレンホース２０が固定される。その後、下流側連結部１３Ｆとドレンホース２０との境界である領域Ｔに、テープ部材（図示せず）を巻回する。
【００３１】
上記施工を行った後のアダプタ１０を保護管に収容する。又は、アダプタ１０全体に保護テープを巻回する。
ここで、図６に示すように、蛇腹構造１２ｃを、上流側連結部１１Ｆと、１２Ｆとが近接するように変形させてもよい。すなわち、上流側連結部１１Ｆの延出方向と、上流側連結部１２Ｆの延出方向とのなす角度を、変形前の角度Ｒ１よりも小さい角度Ｒ３となるように、蛇腹構造１２ｃを変形させてもよい。
上記状態にて、アダプタ１０を保護管に挿入して収容するか、アダプタ１０全体への保護テープの巻回を行う。これにより、保護管への収容を容易に行え、また、複数の上流側連結部をコンパクトに纏めることができる。
【００３２】
以上、上記実施形態を用いて本発明に係るアダプタ１０を説明したが、本発明に係るドレンホース分岐アダプタは、上記実施形態の内容に限定されない。
例えば、本実施形態に係るアダプタ１０は、第１連結部としての上流側連結部が２つ設けられているが、上流側連結部を３つ以上設けてアダプタ１０を構成してもよい。この場合、１つを除く全ての上流側連結部と、分岐箇所との間に、変形可能な弾性部を設けることで、上流側連結部とドレンホースとの境界にテープ部材等を容易に巻回でき、かつ全体をコンパクトに構成できるため好ましい。
【００３３】
また、本実施形態に係るアダプタ１０に連結されるドレンホースを、可撓性を有する合成樹脂製の、蛇腹構造を備えたドレンホースとして説明し、アダプタ１０における連結部は、上記ドレンホースに篏合して連結する篏合部を備えているものとして説明したが、本発明において、ドレンホースは蛇腹構造を有さないものであってもよいし、硬質塩化ビニル菅等、可撓性を有さない素材からなるものであってもよい。また、本発明に係るドレンホース分岐アダプタは、上記篏合部とは異なる方式で、ドレンホースと連結されるものであってもよい。
【００３４】
例えば、連結されるドレンホースの径に合わせた径の連結部を構成し、テープ部材等によりドレンホースを固定するものであってもよいし、異なる径のドレンホースと篏合する他の構造を連結部に設けてもよい。例えば連結部にタケノコ状の継手構造を設け、ドレンホース分岐アダプタをドレンホースと連結してもよい。
【００３５】
また、本発明に係るドレンホース分岐アダプタは、家庭用の空気調和設備におけるドレン水を排出するドレンホースに対する適用に限定されず、業務用の空気調和設備や、その他のドレン水を排出する設備におけるドレンホースに対して適用することもできる。
【符号の説明】
【００３６】
１０            ドレンホース分岐アダプタ
１１Ｆ、１２Ｆ  第１連結部
１２ｃ          弾性部（蛇腹構造）
１３Ｆ          第２連結部
２０            ドレンホース
【図１】
2020193758.tif 000003
【図２】
2020193758.tif 000004
【図３】
2020193758.tif 000005
【図４】
2020193758.tif 000006
【図５】
2020193758.tif 000007
【図６】
2020193758.tif 000008